(57)【特許請求の範囲】
【請求項１】
印刷媒体に画像を形成する画像形成装置であって、
印刷媒体の搬送経路を形成するガイドと、
前記ガイドが設けられている第１の扉であって、開状態において該搬送経路内を該画像形成装置本体外に露出させる第１の扉と、
前記第１の扉に設けられており、かつ、該第１の扉が閉状態であるときに、前記画像形成装置本体内に設けられている構成に接触することによって所定の位置に位置決めされる機能部材と、
前記第１の扉の閉状態を保持する第１の保持機構と、
閉状態では前記第１の扉を覆い、開状態では該第１の扉を該画像形成装置本体外に露出させる第２の扉と、
前記第２の扉の閉状態を保持する第２の保持機構と、
を備えており、
前記第１の保持機構は、
前記本体に設けられている第１の係合部と、
前記第１の扉に設けられている第２の係合部であって、該第１の扉が閉状態であるときに前記第１の係合部に係合する第２の係合部と、
前記第１の係合部と前記第２の係合部との係合を解除する第１のレバーと、
を含んでおり、
前記第２の保持機構は、
前記本体に設けられている第３の係合部と、
前記第２の扉に設けられている第４の係合部であって、該第２の扉が閉状態であるときに前記第３の係合部に係合する第４の係合部と、
前記第３の係合部と前記第４の係合部との係合を解除する第２のレバーと、
を含んでおり、
前記第１の扉と前記第２の扉とが共に開状態である場合に該第２の扉が閉じられるとともに前記第２のレバーが操作されると、前記第３の係合部と前記第４の係合部とが係合されると共に、前記第１のレバーが該第２のレバーにより操作されて、前記第１の係合部と前記第２の係合部とが係合され、該第１の扉が閉状態に移行すること、
を特徴とする画像形成装置。
【請求項２】
前記第１の扉と前記第２の扉が共に閉状態である場合に該第２の扉が開かれると、該第２の扉が開かれる動作に伴って前記第２の保持機構と前記第１の保持機構とが連動し、該第１の扉が開状態に移行すること、
を特徴とする請求項１に記載の画像形成装置。
【請求項３】
前記第１の扉及び前記第２の扉が閉状態であるときに、前記第２のレバーが操作されると、前記第３の係合部と前記第４の係合部との係合が解除されると共に、前記第１のレバーが該第２のレバーにより操作されて、前記第１の係合部と前記第２の係合部との係合が解除されること、
を特徴とする請求項１又は請求項２のいずれかに記載の画像形成装置。
【請求項４】
前記機能部材は、トナー画像を前記印刷媒体に転写するための転写ローラであること、
を特徴とする請求項１ないし請求項３のいずれかに記載の画像形成装置。
【発明の詳細な説明】
【技術分野】
【０００１】
本発明は、画像形成装置に関し、特に、印刷媒体に画像を形成する画像形成装置に関する。
【背景技術】
【０００２】
従来の画像形成装置としては、例えば、特許文献１に記載のシート搬送装置を備えた画像形成装置が知られている。特許文献１に記載のシート搬送装置では、給紙搬送経路を形成するガイドが開閉可能に構成されている。また、ガイドの外側には、開閉可能に構成された扉が設けられている。ガイドと扉とは、リンクにより接続されている。これにより、ガイドは、扉の開閉に連動して開閉する。また、ガイドには、互いに対向する２つのローラからなる搬送ローラの一方のローラが設けられている。２つのローラは、ガイドが閉じられることによって、互いに圧接している。該シート搬送装置では、扉とガイドとが連動して開閉するので、ジャム処理を容易に行うことが可能となる。
【０００３】
しかしながら、特許文献１に記載のシート搬送装置では、２つのローラを正確に位置決めして圧接させることが困難である。より詳細には、ガイドには、一方のローラが設けられている。該一方のローラは、他方のローラに圧接している。そのため、ガイドには、一方のローラから力が加わる。ガイドは、扉によって押さえつけられて閉じられているので、ガイドに加わった力は、扉に伝わる。近年の小型化した画像形成装置では、扉の薄型化が進んでいるため、扉に力が加わると、扉が変形する。その結果、ガイドの位置にずれが生じて、ガイドに取り付けられているローラの位置にずれが生じる。
【先行技術文献】
【特許文献】
【０００４】
【特許文献１】特開平４−７２２７号公報
【発明の概要】
【発明が解決しようとする課題】
【０００５】
そこで、本発明の目的は、外側の扉と内側の扉とを備えている画像形成装置であって、内側の扉に設けられている機能部品を正確に位置決めすることができる画像形成装置を提供することである。
【課題を解決するための手段】
【０００６】
本発明の一形態に係る画像形成装置は、印刷媒体に画像を形成する画像形成装置であって、印刷媒体の搬送経路を形成するガイドと、前記ガイドが設けられている第１の扉であって、開状態において該搬送経路内を該画像形成装置本体外に露出させる第１の扉と、前記第１の扉に設けられており、かつ、該第１の扉が閉状態であるときに、前記画像形成装置本体内に設けられている構成に接触することによって所定の位置に位置決めされる機能部材と、前記第１の扉の閉状態を保持する第１の保持機構と、閉状態では前記第１の扉を覆い、開状態では該第１の扉を該画像形成装置本体外に露出させる第２の扉と、前記第２の扉の閉状態を保持する第２の保持機構と、を備えており、前記第１の保持機構は、前記本体に設けられている第１の係合部と、前記第１の扉に設けられている第２の係合部であって、該第１の扉が閉状態であるときに前記第１の係合部に係合する第２の係合部と、前記第１の係合部と前記第２の係合部との係合を解除する第１のレバーと、を含んでおり、前記第２の保持機構は、前記本体に設けられている第３の係合部と、前記第２の扉に設けられている第４の係合部であって、該第２の扉が閉状態であるときに前記第３の係合部に係合する第４の係合部と、前記第３の係合部と前記第４の係合部との係合を解除する第２のレバーと、を含んでおり、前記第１の扉と前記第２の扉とが共に開状態である場合に該第２の扉が閉じられるとともに前記第２のレバーが操作されると、前記第３の係合部と前記第４の係合部とが係合されると共に、前記第１のレバーが該第２のレバーにより操作されて、前記第１の係合部と前記第２の係合部とが係合され、該第１の扉が閉状態に移行すること、を特徴とする。
【発明の効果】
【０００７】
本発明によれば、内側の扉に設けられている機能部品を正確に位置決めすることができる。
【図面の簡単な説明】
【０００８】
【図１】画像形成装置の全体構成を示した図である。
【図２】画像形成装置の搬送経路近傍の拡大図である。
【図３】扉を上側から平面視した図である。
【図４】扉の斜視図である。
【図５】扉の詳細図である。
【図６】扉のロック機構の斜視図である。
【図７】図７（ａ）は、ロック状態であるときのロック機構を上側から平面視した図であり、図７（ｂ）は、解除状態であるときのロック機構を上側から平面視した図である。
【図８】ロック状態であるときの変形例に係るロック機構を上側から平面視した図である。
【発明を実施するための形態】
【０００９】
以下に、本発明の実施形態に係る画像形成装置について説明する。
【００１０】
（画像形成装置の構成）
以下に、本発明の実施形態に係る現像装置を備えた画像形成装置について図面を参照しながら説明する。図１は、画像形成装置１０の全体構成を示した図である。以下では、図１の左右方向を左右方向と定義し、図１の上下方向を上下方向と定義し、図１の紙面垂直方向を前後方向と定義する。
【００１１】
画像形成装置１０は、電子写真方式によるカラープリンタであって、いわゆるタンデム式で４色（Ｙ：イエロー、Ｍ：マゼンタ、Ｃ：シアン、Ｋ：ブラック）の画像を合成するように構成されている。該画像形成装置１０は、スキャナにより読み取った画像データに基づいて、用紙に画像を形成する機能を有し、図１に示すように、印刷部２、給紙部１５、タイミングローラ対１９、定着装置２０、排紙ローラ対２１、排紙トレイ２３、搬送ローラ対２４ａ〜２４ｆ、反転ローラ対２５、本体３０及び搬送経路Ｒ１〜Ｒ４を備えている。
【００１２】
本体３０は、印刷部２、給紙部１５、タイミングローラ対１９、定着装置２０、排紙ローラ対２１、排紙トレイ２３、搬送ローラ対２４ａ〜２４ｆ、反転ローラ対２５及び搬送経路Ｒ１〜Ｒ４をその内部に収容している筐体である。
【００１３】
給紙部１５は、用紙（印刷媒体）Ｐを１枚ずつ供給する役割を果たし、用紙トレイ１６及び給紙ローラ１７を含む。用紙トレイ１６には、印刷前の状態の用紙Ｐが複数枚重ねて載置される。給紙ローラ１７は、用紙トレイ１６に載置された用紙Ｐを１枚ずつ取り出す。
【００１４】
搬送ローラ対２４ａは、給紙ローラ１７が取り出した用紙Ｐを上方へと搬送する。タイミングローラ対１９は、給紙ローラ１７及び搬送対ローラ２４ａにより搬送されてきた用紙Ｐにトナー画像が印刷部２において２次転写されるように、タイミングを調整しながら用紙Ｐを上方へ搬送する。
【００１５】
印刷部２は、給紙部１５から供給されてくる用紙にトナー画像を形成し、光走査装置６、中間転写ベルト１１、駆動ローラ１２、従動ローラ１３、２次転写ローラ１４及び作像ユニット２２（２２Ｙ，２２Ｍ，２２Ｃ，２２Ｋ）を含んでいる。また、作像ユニット２２（２２Ｙ，２２Ｍ，２２Ｃ，２２Ｋ）は、感光体ドラム４（４Ｙ，４Ｍ，４Ｃ，４Ｋ）を含んでいる。
【００１６】
感光体ドラム４（４Ｙ，４Ｍ，４Ｃ，４Ｋ）は、円筒形状をなしている。感光体ドラム４の周面には、光走査装置６により静電潜像が形成された後に、現像装置により静電潜像に基づくトナー画像が現像される。静電潜像の形成及びトナー画像の現像については、一般的な処理であるので詳細な説明を省略する。
【００１７】
中間転写ベルト１１は、駆動ローラ１２と従動ローラ１３との間に張り渡されている。中間転写ベルト１１には、感光体ドラム４に現像されたトナー画像が１次転写される。駆動ローラ１２は、中間転写ベルト駆動部（図１には記載せず）により回転させられることにより、中間転写ベルト１１を矢印αの方向に駆動させる。これにより、中間転写ベルト１１は、トナー画像を２次転写ローラ１４まで搬送する。
【００１８】
２次転写ローラ１４は、中間転写ベルト１１と対向し、ドラム形状をなしている。そして、２次転写ローラ１４は、転写電圧が印加されることにより、中間転写ベルト１１との間を通過する用紙Ｐに対して、中間転写ベルト１１が担持しているトナー画像を２次転写する。
【００１９】
トナー画像が２次転写された用紙Ｐは、定着装置２０に搬送される。定着装置２０は、用紙に対して加熱処理及び加圧処理を施すことにより、トナー画像を用紙Ｐに定着させる。搬送ローラ対２４ｂは、定着装置２０を通過した用紙Ｐを排紙ローラ対２１に搬送する。排紙ローラ対２１は、排紙トレイ２３上に用紙Ｐを出力する。
【００２０】
ここで、画像形成装置１０は、用紙Ｐに対して両面印刷可能な構成を有している。すなわち、画像形成装置１０は、用紙Ｐの表面に印刷を行った後に、用紙Ｐの表裏を反転させて、用紙Ｐの裏面に印刷を行うことができる。
【００２１】
画像形成装置１０において、搬送経路Ｒ１は、給紙部１５から搬送ローラ対２４ｂの搬送方向の下流側の分岐部分Ｂまでの経路を構成している。搬送経路Ｒ１は、ガイド（図１では太線により図示）により構成されている。搬送経路Ｒ１上には、搬送ローラ対２４ａ、タイミングローラ対１９、印刷部２、定着装置２０、搬送ローラ対２４ｂが、搬送方向の上流側から下流側へとこの順に並ぶように設けられている。そして、搬送経路Ｒ２，Ｒ３は、分岐部分Ｂにおいて２つに分岐している。
【００２２】
搬送経路Ｒ２は、分岐部分Ｂから排紙ローラ対２１までの経路を構成している。搬送経路Ｒ２は、ガイド（図１では太線により図示）により構成されている。搬送経路Ｒ２上には、排紙ローラ対２１が設けられている。
【００２３】
搬送経路Ｒ３は、分岐部分Ｂにおいて搬送経路Ｒ２よりも上側に分岐している。搬送経路Ｒ３は、ガイド（図１では太線により図示）により構成されている。搬送経路Ｒ３上には、反転ローラ対２５が設けられている。反転ローラ対２５は、搬送経路Ｒ１，Ｒ３から搬送されてきた用紙Ｐを本体３０外に搬送した後、用紙Ｐの搬送方向を反転させて、用紙Ｐを搬送経路Ｒ４へと搬送する。
【００２４】
搬送経路Ｒ４は、分岐部分Ｂにおいて搬送経路Ｒ３と接続されており、ガイド（図１では太線により図示）により構成されている。搬送経路Ｒ４上には、搬送ローラ対２４ｃ〜２４ｆが、搬送方向の上流側から下流側へとこの順に並ぶように設けられている。搬送ローラ対２４ｃ〜２４ｆは、用紙Ｐを搬送経路Ｒ１へと搬送する。
【００２５】
ここで、用紙Ｐの両面にトナー画像が印刷される場合には、用紙Ｐは、搬送経路Ｒ１を搬送される。搬送経路Ｒ１の搬送中に、印刷部２において、用紙Ｐの表面にトナー画像が２次転写され、定着装置２０において、用紙Ｐの表面にトナー画像が定着される。そして、用紙Ｐは、搬送経路Ｒ３へと搬送される。搬送経路Ｒ３に搬送された用紙Ｐは、反転ローラ対２５により本体３０外に搬送された後、搬送経路Ｒ４へと搬送される。そして、搬送経路Ｒ４を搬送された用紙Ｐは、表裏が反転した状態で、搬送経路Ｒ１内を搬送される。搬送経路Ｒ１の搬送中に、印刷部２において、用紙Ｐの裏面にトナー画像が２次転写され、定着装置２０において、用紙Ｐの表面にトナー画像が定着される。この後、用紙Ｐは、搬送経路Ｒ２を搬送され、排紙ローラ対２１により排紙トレイ２３に出力される。
【００２６】
（扉の構成）
次に、画像形成装置１０の扉の構成について説明する。画像形成装置１０の本体３０の右側の側面には、扉が設けられている。そして、該扉が開放されることにより、用紙Ｐのジャム処理が行われる。図２は、画像形成装置１０の搬送経路Ｒ１，Ｒ４近傍の拡大図である。図３は、扉Ｄ１，Ｄ２を上側から平面視した図である。図４は、扉Ｄ１，Ｄ２の斜視図である。図５は、扉Ｄ１，Ｄ２の詳細図である。
【００２７】
画像形成装置１０は、図２ないし図４に示すように、扉Ｄ１，Ｄ２を更に備えている。扉Ｄ１は、本体３０内に設けられている搬送経路Ｒ１を構成するガイドＧ（図２参照）が設けられており、開状態において搬送経路Ｒ１内を本体３０外に露出させる。より詳細には、扉Ｄ１は、図３に示すように、本体３０の後ろ側の端部において上下方向に延在する支軸４０を中心として回転することができる。そして、図２に示すように、扉Ｄ１の左側の面には、ガイドＧが設けられている。ガイドＧは、搬送経路Ｒ１の右側を構成している。これにより、上方から平面視したときに支軸４０を軸にして反時計回りに扉Ｄ１が回転させられて開状態にされると、ガイドＧが扉Ｄ１と共に搬送経路Ｒ１から離れるので、搬送経路Ｒ１内が本体３０外に露出する。
【００２８】
扉Ｄ２は、閉状態では扉Ｄ１を覆い、開状態では扉Ｄ１を本体３０外に露出させる。より詳細には、扉Ｄ１は、図３に示すように、本体３０の後ろ側の端部において上下方向に延在する支軸４０を中心として回転することができる。そして、図２及び図３に示すように、扉Ｄ２は、扉Ｄ１よりも大きく、扉Ｄ１よりも本体３０の外側（右側）に設けられている。これにより、扉Ｄ２が閉状態となると、扉Ｄ１には扉Ｄ２が覆いかぶさるようになる。一方、扉Ｄ２が開状態となると、扉Ｄ１が露出する。扉Ｄ２が開状態のときに、扉Ｄ１が開状態となると、搬送経路Ｒ１内が本体３０外に露出する。
【００２９】
また、２次転写ローラ１４は、図２及び図５に示すように、扉Ｄ１に設けられており、扉Ｄ１が閉状態であるときに、図１に示すように、本体３０内に設けられている中間転写ベルト１１に接触することによって、所定の位置に位置決めされている機能部材である。より詳細には、２次転写ローラ１４は、扉Ｄ１の左側の面に設けられている。２次転写ローラ１４は、弾性体を内蔵する付勢部５８（図５参照）により、左上に押し出されている。これにより、扉Ｄ１が閉じられると、２次転写ローラ１４は、図１に示すように、中間転写ベルト１１の駆動ローラ１２に巻きついている部分に圧接する。
【００３０】
ところで、画像形成装置１０は、扉Ｄ１，Ｄ２の閉状態を保持するためのロック機構（保持機構）３４，３６を備えている。以下に、ロック機構３４，３６について説明する。図６は、扉Ｄ１，Ｄ２のロック機構３４，３６の斜視図である。図７（ａ）は、ロック状態であるときのロック機構３４，３６を上側から平面視した図であり、図７（ｂ）は、解除状態であるときのロック機構３４，３６を上側から平面視した図である。
【００３１】
ロック機構３４は、扉Ｄ１の閉状態を保持する機構であり、図５ないし図７に示すように、レバー４４、リンク４５、係合部４６ａ，４６ｂ及び係合部６０ａ，６０ｂを含んでいる。係合部６０ａ，６０ｂは、本体３０に設けられている爪である。より詳細には、係合部６０ａ，６０ｂはそれぞれ、図７に示すように、左側を向く面Ｓ１を有する突起であって、かつ、後ろ方向に突出する突起を有している。係合部６０ａ，６０ｂは共に同じ形状を有しており、上方向から平面視したときに、一致した状態で重なっている。係合部６０ａは、係合部６０ｂよりも上側に設けられている。
【００３２】
リンク４５は、図６に示すように、上下方向に延在している棒状部材であり、扉Ｄ１の手前側の辺に沿って設けられている。リンク４５は、上下方向に延在する軸を中心として回転可能に構成されている。
【００３３】
係合部４６ａ，４６ｂはそれぞれ、図４ないし図６に示すように、扉Ｄ１に設けられ、図７（ａ）に示すように、扉Ｄ１が閉状態であるとき（ロック機構３４がロック状態であるとき）に係合部６０ａ，６０ｂに係合する爪である。より詳細には、係合部４６ａ，４６ｂはそれぞれ、図７に示すように、右側を向く面Ｓ２を有する突起であって、かつ、前方向に突出する突起を有している。係合部４６ａ，４６ｂは共に同じ形状を有しており、上方向から平面視したときに、一致した状態で重なっている。係合部４６ａ，４６ｂはそれぞれ、リンク４５の上端及び下端に設けられている。そして、ロック機構３４がロック状態である場合には、図７（ａ）に示すように、係合部４６ａ，４６ｂは、係合部６０ａ，６０ｂの後ろ側に位置し、係合部４６ａ，４６ｂの右側を向く面Ｓ２は、係合部６０ａ，６０ｂの左側を向く面Ｓ１と接触する。これにより、扉Ｄ１が支軸４０（図３参照）を中心として反時計回りに回転することが、係合部４６ａ，４６ｂ，６０ａ，６０ｂにより阻止される。すなわち、扉Ｄ１の閉状態が保持される。
【００３４】
レバー４４は、係合部４６ａ，４６ｂと係合部６０ａ，６０ｂとの係合を解除するための操作部であり、図６に示すように、リンク４５の上下方向の真ん中に設けられている。そして、レバー４４は、図４に示すように、扉Ｄ１の右側の面（本体３０に対する外側の面）に取り付けられている。ユーザが、図７（ｂ）に示すように、レバー４４を時計回りに回転させると、リンク４５が、時計回りに回転する。これにより、係合部４６ａ，４６ｂが、リンク４５を中心として時計回りに回転し、係合部４６ａ，４６ｂの右側を向く面Ｓ２が、係合部６０ａ，６０ｂの左側を向く面Ｓ１から離れる。その結果、ロック機構３４が解除状態となる。すなわち、扉Ｄ１を開状態とすることが可能である。
【００３５】
ロック機構３６は、扉Ｄ２の閉状態を保持する機構であり、図５ないし図７に示すように、レバー５０、リンク５１、係合部５２ａ，５２ｂ及び係合部６２ａ，６２ｂを含んでいる。係合部６２ａ，６２ｂは、本体３０に設けられている爪である。より詳細には、係合部６２ａ，６２ｂはそれぞれ、図７に示すように、左側を向く面Ｓ３を有する突起であって、かつ、後ろ方向に突出する突起を有している。係合部６２ａ，６２ｂは共に同じ形状を有しており、上方向から平面視したときに、一致した状態で重なっている。係合部６２ａは、係合部６２ｂよりも上側に設けられている。
【００３６】
リンク５１は、図５に示すように、上下方向に延在している棒状部材であり、扉Ｄ２の手前側の辺に沿って設けられている。リンク５１は、上下方向に延在する軸を中心として回転可能に構成されている。
【００３７】
係合部５２ａ，５２ｂはそれぞれ、図４ないし図６に示すように、扉Ｄ２に設けられ、図７（ａ）に示すように、扉Ｄ２が閉状態であるとき（ロック機構３６がロック状態であるとき）に係合部６２ａ，６２ｂに係合する爪である。より詳細には、係合部５２ａ，５２ｂはそれぞれ、図７に示すように、右側を向く面Ｓ４を有する突起であって、かつ、前方向に突出する突起を有している。係合部５２ａ，５２ｂは共に同じ形状を有しており、上方向から平面視したときに、一致した状態で重なっている。係合部５２ａ，５２ｂはそれぞれ、リンク５１の上端及び下端に設けられている。そして、ロック機構３６がロック状態である場合には、図７（ａ）に示すように、係合部５２ａ，５２ｂは、係合部６２ａ，６２ｂの後ろ側に位置し、係合部５２ａ，５２ｂの右側を向く面Ｓ４は、係合部５２ａ，５２ｂの左側を向く面Ｓ３と接触する。これにより、扉Ｄ２が支軸４０（図３参照）を中心として反時計回りに回転することが、係合部５２ａ，５２ｂ，６２ａ，６２ｂにより阻止される。すなわち、扉Ｄ２の閉状態が保持される。
【００３８】
レバー５０は、係合部５２ａ，５２ｂと係合部６２ａ，６２ｂとの係合を解除するための操作部であり、図６に示すように、リンク５１の上下方向の真ん中に設けられている。そして、レバー５０は、図４に示すように、扉Ｄ２の右側の面（本体３０に対する外側の面）に取り付けられている。ユーザが、図７（ｂ）に示すように、レバー５０を時計回りに回転させると、リンク５１が、時計回りに回転する。これにより、係合部５２ａ，５２ｂが、リンク５１を中心として時計回りに回転し、係合部５２ａ，５２ｂの右側を向く面Ｓ４が、後ろ側にスライドして、係合部６２ａ，６２ｂの左側を向く面Ｓ３から離れる。その結果、ロック機構３６が解除状態となる。すなわち、扉Ｄ２を開状態とすることが可能である。
【００３９】
ところで、画像形成装置１０では、ロック機構３４，３６がロック状態である場合に、ロック機構３６をロック状態から解除状態に切り替えると、ロック機構３６に連動してロック機構３４がロック状態から解除状態に切り替わる。
【００４０】
より詳細には、図７（ａ）に示すように、ロック機構３４，３６がロック状態である場合には、レバー４４とレバー５０とが接触している。このとき、ユーザが、レバー５０を時計回りに回転させる（すなわち、操作する）と、レバー５０は、レバー４４を時計回りに回転させる。これにより、係合部５２ａ，５２ｂと係合部６２ａ，６２ｂとの係合が解除される。更に、係合部４６ａ，４６ｂと係合部６０ａ，６０ｂとの係合が解除される。その結果、ロック機構３４，３６が解除状態となる。
【００４１】
また、画像形成装置１０では、ロック機構３４，３６が解除状態である場合に、ロック機構３６を解除状態からロック状態に切り替えると、ロック機構３６に連動してロック機構３４が解除状態からロック状態に切り替わる。以下に、ロック機構３４，３６の連動について説明する。
【００４２】
扉Ｄ１，Ｄ２が開状態であるときに、ユーザが、支軸４０を中心として時計回りに扉Ｄ２を回転させると、扉Ｄ２が扉Ｄ１に重なる。これにより、レバー５０がレバー４４に接触する。このとき、ユーザがレバー５０を時計回りに回転させる（すなわち、操作する）と、レバー５０は、図７（ｂ）に示すように、レバー４４を時計回りに回転させる。この後、ユーザがレバー５０を反時計回りに回転させると、図７（ａ）に示すように、係合部５２ａ，５２ｂと係合部６２ａ，６２ｂとが係合する。更に、レバー４４がレバー５０より反時計回りに回転させられ（すなわち、操作され）て、係合部４６ａ，４６ｂと係合部６０ａ，６０ｂとが係合する。これにより、ロック機構３４，３６がロック状態となる。
【００４３】
（効果）
以上のように構成された画像形成装置１０では、扉Ｄ１に設けられている２次転写ローラ１４を正確に位置決めすることができる。より詳細には、特許文献１に記載のシート搬送装置では、ガイドには、一方のローラが設けられている。該一方のローラは、他方のローラに圧接している。そのため、ガイドには、一方のローラから力が加わる。ガイドは、扉によって押さえつけられて閉じられているので、ガイドに加わった力は、扉に伝わる。近年の小型化した画像形成装置では、扉の薄型化が進んでいるため、扉に力が加わると、扉が変形する。その結果、ガイドの位置にずれが生じて、ガイドに取り付けられているローラの位置にずれが生じる。
【００４４】
これに対して、画像形成装置１０では、２次転写ローラ１４が設けられている扉Ｄ１の閉状態を保持するためのロック機構３４が設けられている。これにより、扉Ｄ１，Ｄ２が閉状態であるときに、扉Ｄ１から扉Ｄ２に加わる力が低減される。そのため、扉Ｄ２に変形が発生することが抑制され、扉Ｄ１が閉状態であるときに扉Ｄ１の位置にずれが発生することが抑制される。その結果、扉Ｄ１に設けられている２次転写ローラ１４の位置にずれが生じることが抑制される。
【００４５】
また、画像形成装置１０では、ユーザがレバー５０を回転させると、レバー５０の回転に連動してレバー４４も回転する。そのため、ユーザは、レバー５０を操作するだけで、ロック機構３４，３６の両方のロック状態と解除状態との切り替えを行うことが可能である。これにより、扉Ｄ１と扉Ｄ２との両方がロックされる構成でありながら、搬送経路Ｒ１のジャム処理を容易に行うことができる。
【００４６】
（変形例）
以下に、変形例に係るロック機構について図面を参照しながら説明する。図８は、ロック状態であるときの変形例に係るロック機構１３４，１３６を上側から平面視した図である。
【００４７】
ロック機構１３４は、係合部４６ａ，４６ｂ，６０ａ，６０ｂの構造において、ロック機構３４と相違する。より詳細には、ロック機構１３４では、係合部４６ａ，４６ｂは、係合部６０ａ，６０ｂの前側に位置している。また、ロック機構１３６は、回転体７０が設けられている点において、ロック機構３４と相違する。回転体７０は、レバー５０及び係合部５２ａ，５２ｂに接続されている。
【００４８】
以上のようなロック機構１３４，１３６において、ユーザがレバー５０を時計回りに回転させると、回転体７０及び係合部５２ａ，５２ｂも時計回りに回転する。これにより、係合部５２ａ，５２ｂと係合部６２ａ，６２ｂとの係合が解除される。
【００４９】
また、回転体７０は、レバー４４と接触している。そのため、回転体７０が時計回りに回転すると、レバー４４は、反時計回りに回転させられる。その結果、係合部４６ａ，４６ｂが反時計回りに回転し、係合部４６ａ，４６ｂと係合部６０ａ，６０ｂとの係合が解除される。
【００５０】
なお、機能部材は、２次転写ローラ１４であるとしたが、用紙Ｐを搬送するためのローラであってもよいし、用紙Ｐの通過を検知するセンサであってもよい。機能部材は、本体側に付勢されることにより位置決めされる部材であればよい。
【産業上の利用可能性】
【００５１】
本発明は、画像形成装置に有用であり、特に、外側の扉と内側の扉とを備えている画像形成装置において、内側の扉に設けられている機能部品を正確に位置決めすることができる点において優れている。
【符号の説明】
【００５２】
Ｒ１〜Ｒ４  搬送経路
１０  画像形成装置
３０  本体
３４，３６，１３４，１３６  ロック機構
４０  支軸
４４，５０  レバー
４５，５１  リンク
４６ａ，４６ｂ，５２ａ，５２ｂ，６０ａ，６０ｂ，６２ａ，６２ｂ  係合部
５８  付勢部
７０  回転体
Ｄ１，Ｄ２  扉
【図１】
0005321625.tif 000002
【図２】
0005321625.tif 000003
【図３】
0005321625.tif 000004
【図４】
0005321625.tif 000005
【図５】
0005321625.tif 000006
【図６】
0005321625.tif 000007
【図７】
0005321625.tif 000008
【図８】
0005321625.tif 000009